(57)【要約】【課題】遺体を洗浄するにあたり、その洗浄効率を向上させるとともに作業者の負担を軽減できる洗浄槽を提供すること。【解決手段】洗浄槽本体１０内のナノバブル水を循環させながら人体を洗浄する洗浄槽であって、洗浄槽本体１０内のナノバブル水を循環させ、ナノバブル水の循環流を形成する循環手段と、洗浄後の人体を乾燥させるために洗浄槽本体１０内に温風を供給する温風供給手段９０とを備えた洗浄槽。【選択図】図１
2014233594.tif 000002
【特許請求の範囲】
【請求項１】
洗浄槽本体内のナノバブル水を循環させながら人体を洗浄する洗浄槽であって、
前記洗浄槽本体内のナノバブル水を循環させ、ナノバブル水の循環流を形成する循環手段と、
洗浄後の人体を乾燥させるために前記洗浄槽本体内に温風を供給する温風供給手段とを備えた洗浄槽。
【請求項２】
前記洗浄槽本体が、第１洗浄槽と、この第１洗浄槽の上に積み重ねられた第２洗浄槽とからなり、第１洗浄槽と第２洗浄槽は、水路によって通じており、
前記循環手段が、第１洗浄槽内のナノバブル水を第２洗浄槽にくみ上げ、そのくみ上げられたナノバブル水が前記水路を介して第１洗浄槽に戻ることにより、ナノバブル水の循環流を形成し、
前記第２洗浄槽内で人体を洗浄する請求項１に記載の洗浄槽。
【請求項３】
前記水路に、ナノバブル水を濾過する濾過手段を設置した請求項２に記載の洗浄槽。
【請求項４】
前記第１洗浄槽に、ナノバブル水を製造するナノバブル水製造手段を設けた請求項２又は３に記載の洗浄槽。
【請求項５】
前記第２洗浄槽に、人体を載せる載置板を着脱可能に設け、前記載置板を格子材で形成した請求項２〜４のいずれかに記載の洗浄槽。
【発明の詳細な説明】
【技術分野】
【０００１】
本発明は、人体、特に遺体を洗浄するのに適した洗浄槽に関する。
【背景技術】
【０００２】
一般に我が国における葬儀においては、納棺に先立って「湯灌の儀」と称される儀式が実施される場合が多い。湯灌の儀とは、故人の現世での煩悩を洗い清め、現世での汚れを一切落とし、安らかに見送ることを目的として行われる儀式である。この湯灌の儀は、主として、故人の納棺に先だって、遺体を洗浄するための専用の槽である洗浄槽（「清浄槽」とも呼ばれる）において、温水を用いて故人の体を洗い清めることによって行われる。
【０００３】
かかる洗浄槽としては、従来、特許文献１〜３に開示されているような浴槽型の洗浄槽が知られている。
【０００４】
しかし、上記従来の洗浄槽は、その洗浄槽本体に水（温水）を溜めて単に遺体を入浴させることができるだけで、遺体を洗浄したり、洗浄後に遺体を乾燥させたりする作業は、作業者が手作業で行う必要があった。すなわち、単に遺体を入浴させるだけでは、例えば交通事故死などのように遺体の汚れや損傷が激しい場合にはその遺体の汚れは落ちず、作業者が手作業で遺体を洗浄する必要があった。また、洗浄後の遺体を乾燥させる際にも、作業者が遺体を洗浄槽から取り上げ、別の場所に移した上で拭き上げる作業が必要で、作業者の負担が大であった。更に、洗浄に使用する水には、洗浄後の遺体の腐敗を抑制する点から、ホルマリンなどの防腐剤が添加されており、湯灌の際にその防腐剤が揮発するので、作業環境が悪く、この点からも作業者の負担が大であった。
【先行技術文献】
【特許文献】
【０００５】
【特許文献１】特開２００３−１５９２９３号公報
【特許文献２】特開２００５−２１１３３７号公報
【特許文献３】特開２００６−５１２４６号公報
【発明の概要】
【発明が解決しようとする課題】
【０００６】
本発明が解決しようとする課題は、遺体を洗浄するにあたり、その洗浄効率を向上させるとともに作業者の負担を軽減できる洗浄槽を提供することにある。
【課題を解決するための手段】
【０００７】
本発明の一観点によれば、洗浄槽本体内のナノバブル水を循環させながら人体を洗浄する洗浄槽であって、前記洗浄槽本体内のナノバブル水を循環させ、ナノバブル水の循環流を形成する循環手段と、洗浄後の人体を乾燥させるために前記洗浄槽本体内に温風を供給する温風供給手段とを備えた洗浄槽が提供される。
【０００８】
本発明において洗浄槽本体は、第１洗浄槽と、この第１洗浄槽の上に積み重ねられ、当該第１洗浄槽と水路によって通じる第２洗浄槽とから構成できる。この場合、前記循環手段が、第１洗浄槽内のナノバブル水を第２洗浄槽にくみ上げ、そのくみ上げられたナノバブル水が前記水路を介して第１洗浄槽に戻ることにより、ナノバブル水の循環流を形成し、前記第２洗浄槽内で人体を洗浄する。
【０００９】
また、本発明において、前記水路にはナノバブル水を濾過する濾過手段を設置することができ、前記第１洗浄槽にはナノバブル水を製造するナノバブル水製造手段を設けることができ、前記第２洗浄槽には人体を載せる載置板を着脱可能に設けることができる。前記載置板は格子材で形成することができる。
【発明の効果】
【００１０】
本発明によれば、洗浄水としてナノバブル水を使用し、更に洗浄槽本体内のナノバブル水を循環させてナノバブル水の循環流を形成しながら人体を洗浄するので、洗浄効率が著しく向上する。また、本発明の洗浄槽は、その洗浄槽本体内に温風を供給する温風供給手段を備えるので、洗浄後の人体を洗浄槽本体内でそのまま自動的に乾燥させることができ、従来のように作業者が拭き上げる作業が不要となる。更にナノバブル水は、極めて強い殺菌・消毒効果を奏するので、洗浄水にホルマリンなどの防腐剤が添加する必要がなくなり、作業環境も改善される。以上より、作業者の負担が著しく軽減される。
【図面の簡単な説明】
【００１１】
【図１】本発明の洗浄槽の一実施例を示す斜視図である。
【図２】図１の洗浄槽を機能的に分解して示す分解斜視図である。
【図３】温風供給手段（温風供給管）の構成例を示す縦断面図である。
【図４】載置板に遺体を置き、位置決め具で遺体を位置決めした状態を示す斜視図である。
【発明を実施するための形態】
【００１２】
以下、図面に示す実施例に基づき、本発明の実施の形態を説明する。
【００１３】
図１は、本発明の洗浄槽の一実施例を示す斜視図、図２は、図１の洗浄槽を機能的に分解して示す分解斜視図である。以下、遺体の洗浄を例に説明する。
【００１４】
本発明の洗浄槽は、洗浄槽本体内のナノバブル水を循環させながら遺体を洗浄するものである。本実施例において洗浄槽本体１０は、第１洗浄槽１１と第２洗浄槽１２とからなる。
【００１５】
第１洗浄槽１１には、水道水からナノバブル水を製造するナノバブル水製造手段としてナノバブル水精製機２０が設置されている。ナノバブル水精製機２０は、その吸水口２１から吸い込んだ水を本体容器２２内で強撹拌し、吐出口２３から吐出する工程を繰り返すことで、ナノバブル水を製造する。
【００１６】
ここで、ナノバブル水とはナノバブルを含む水をいい、より具体的に平均直径が１μｍ未満のナノバブルを含む水をいう。ナノバブルの平均直径は５００ｎｍ以下が好ましい。ナノバブルの平均直径は顕微鏡観察により測定することができる。なお、ナノバブル水製造手段は上述のナノバブル水精製機２０に限定されず、公知のナノバブル水製造手段、例えば特開２００３−３３４５４８号公報、特開２００４−１２１９６２号公報、特開２００８−３０００２号公報等に記載されている機構を利用したナノバブル水製造手段としてもよい。
【００１７】
第２洗浄槽１２は、第１洗浄槽１１の上に積み重ねられて設置され、第１洗浄槽１１と第２洗浄槽１２は、２つの水路３０によって通じている。水路３０は、鉛直方向に伸び上下端が開口する管路によって構成されている。なお、図２では第１洗浄槽１１側と第２洗浄槽１２側にそれぞれ水路３０が示されているが、第１洗浄槽１１の上に第２洗浄槽１２を設置した状態（図１の状態）では、これらの水路３０は繋がって一連の水路３０を構成する。すなわち、２つの水路３０は、それぞれ第１洗浄槽１１と第２洗浄槽１２を貫くように配置され、この２つの水路３０により第１洗浄槽１１と第２洗浄槽１２が通じている。そして、これらの水路３０内には、水路３０を通過するナノバブル水を濾過する濾過手段４０が設置されている。濾過手段４０としては、濾紙等の周知の濾過手段を使用することができる。
【００１８】
洗浄槽本体１０内のナノバブル水を循環させ、ナノバブル水の循環流を形成するための循環手段として循環ポンプ５０が設置されている。循環ポンプ５０は第１洗浄槽１１の長手方向一端に設けられた吸水口５１が吸い込んだナノバブル水をくみ上げ、第２洗浄槽１２の長手方向一端に設けられた２つの吐出口５２から吐出する。上述した水路３０は、第１洗浄槽１１及び第２洗浄槽１２の長手方向他端側に設けられているので、循環ポンプ５０の駆動により、第１洗浄槽１１の長手方向一端の吸水口５１から吸い込まれたナノバブル水が第２洗浄槽１２の長手方向一端の吐出口５２から第２洗浄槽１２の長手方向他端に向けて吐出され、その吐出されたナノバブル水が第２洗浄槽１２の長手方向他端の水路３０を経由して第１洗浄槽１１の長手方向他端側に流れ込み、再び第１洗浄槽１１の長手方向一端の吸水口５１から吸い込まれることで、ナノバブル水の循環流が形成される。
【００１９】
第２洗浄槽１２には、遺体を載せるための載置板６０が着脱可能に設けられている。この載置板６０は、第２洗浄槽１２の内周形状とほぼ同じ外周形状を有する格子材で形成されている。
【００２０】
第２洗浄槽１２の底部には自動開閉式の排水溝１３が形成されており、第２洗浄槽１２の底面は、排水溝１３に向けて下り傾斜の傾斜面とされている。この排水溝１３は、第２洗浄槽１２に隣接して設けられた機器収納部７０の上面に設けられた、操作パネル７１のボタン操作により自動的に開閉する。詳しくは後で説明するが、上述したようにナノバブル水の循環流を形成して遺体を洗浄するときは、排水溝１３は閉にしておく。
【００２１】
第２洗浄槽１２には開閉蓋８０が取り付けられており、開閉蓋８０には開閉式の通風口８１が設けられている。この通風口８１は、開閉蓋８０を閉めたときに、載置板６０上の遺体の頭部に対応する位置に設けられている。なお、図２において開閉扉８０は省略している。
【００２２】
第２洗浄槽１２の対向する内側面の上部にはそれぞれ、洗浄後の遺体を乾燥させるために第２洗浄槽１２内に温風を供給する温風供給手段として、温風供給管９０を設置している。温風供給管９０には、長手方向に沿って一定の間隔をあけて複数の吹出口９１が設けられている。温風供給管９０は、温風発生手段９２に接続されており、温風発生手段９２で発生させた４０℃程度の温風が温風供給管９０に供給され、吹出口９１から第２洗浄槽１２内に吹き出すようになっている。温風発生手段９２としては、温風ヒーター等、周知の温風発生器を用いることができる。なお、温風供給管９０の吹出口９１から温風を吹き出すときは、上述した開閉蓋８０は閉め、通風口８１は開けておく。
【００２３】
ここで、吹出口９１については、図３に示すように上下２段（上下２列）に設け、上段の吹出口９１からは温風を上方に吹き出し、下段の吹出口９１からは温風を下方に吹き出すようにすることが好ましい。このようにすることで、第２洗浄槽１２内で温風が万遍なく循環し、洗浄後の遺体の乾燥時間を短縮できる。
【００２４】
なお、図２において、循環ポンプ５０及び温風発生手段９２は、その機能を説明するために便宜上、機器収納部７０から出した状態で示したが、実際には循環ポンプ５０及び温風発生手段９２は機器収納部７０内に収納され、これらは操作パネル７１のボタン操作によりオン・オフされる。
【００２５】
以下、図１の洗浄槽の使用方法を説明する。
【００２６】
まず、準備作業として、第１洗浄槽１１にほぼ満タン状態となるように水道水を入れ、ナノバブル水精製機２０を稼動させることにより、第１洗浄槽１１内の水道水をナノバブル水とする。ナノバブル水精製機２０を稼動させる時間は、第１洗浄槽１１の容量やナノバブル水精製機２０の性能によって変わるが、本実施例ではナノバブル水精製機２０を約１５時間稼動させることで、ナノバブルの平均直径が５００ｎｍ以下のナノバブル水を得た。この準備作業は、遺体洗浄の前日に行っておけばよい。
【００２７】
遺体を洗浄するには、その遺体を載置板６０の上に置く。そして、図４に示すように門型の位置決め具１００を使用して、胴体と四肢の間に適切な隙間が形成されるように四肢を固定する。これにより、ナノバブル水が万遍なく遺体に行きわたり、洗浄効率を向上させることができる。また、載置版６０に載せた遺体の口にはマウスピース等の開口具を挿入して、遺体の口を開放しておくことが好ましい。これにより、遺体の口の中までナノバブル水により洗浄することが可能となる。なお、本実施例では載置板６０が格子材で形成されているので、その格子材を利用することにより位置決め具１００は容易に固定でき、その固定位置も容易に変えることができる。
【００２８】
次に、循環ポンプ５０を稼動させる。循環ポンプ５０の稼動により、第１洗浄槽１１内のナノバブル水が第２洗浄槽１２にくみ上げられて移送される。そして、第２洗浄槽１２内のナノバブル水の水位が水路３０の上端レベルまで到達すると、これを超えるナノバブル水は水路３０を経由して第１洗浄槽１１に戻る。これによりナノバブル水の循環流が形成される。すなわち、循環ポンプ５０の駆動により、第１洗浄槽１１の長手方向一端の吸水口５１から吸い込まれたナノバブル水が第２洗浄槽１２の長手方向一端の吐出口５２から第２洗浄槽１２の長手方向他端に向けて吐出され、その吐出されたナノバブル水が第２洗浄槽１２の長手方向他端の水路３０を経由して第１洗浄槽１１の長手方向他端側に流れ込み、再び第１洗浄槽１１の長手方向一端の吸水口５１から吸い込まれることで、ナノバブル水の循環流が形成される。
【００２９】
第２洗浄槽１２内において載置板６０上の遺体は、このナノバブル水の循環流により洗浄される。このように、洗浄水がナノバブル水であること、及び循環流（ナノバブル水の水流）を利用することにより、遺体を効率的に洗浄できる。また、ナノバブル水自体が極めて強い殺菌・消毒効果を奏するので、洗浄水にホルマリンなどの防腐剤が添加する必要もない。
【００３０】
遺体の洗浄が終わったら、循環ポンプ５０を停止するとともに、第２洗浄槽１２底部の排水溝１３を開にする。これにより、循環流を形成していた第２洗浄槽１２内のナノバブル水の全量が第１洗浄槽１１に排出される。
【００３１】
次に、洗浄後の遺体を乾燥させるため、温風発生手段９２を稼動させ、温風供給管９０の吹出口９１より第２洗浄槽１２に温風を吹き込む。このとき、開閉蓋８０は閉め、通風口８１は開けておく。この温風により遺体は第２洗浄槽１２内で自動的に乾燥する。したがって、従来のように作業者が遺体を拭き上げる作業は不要となる。遺体の乾燥が終わったら、開閉蓋８０を開けて、第２洗浄槽１２から取り上げ納棺する。
【００３２】
以上で遺体の洗浄及び乾燥作業は終了する。従来、遺体の洗浄及び乾燥作業は２時間以上を要する重労働であったが、上記本発明によれば１／４程度の軽作業となる。
【００３３】
また、遺体の洗浄時、ナノバブル水は水路３０内に設置された濾過手段４０によって濾過されるので、遺体の洗浄により発生する汚れや血液等は濾過手段４０によって除去される。したがって、第１洗浄槽１１内のナノバブル水は複数回利用可能であり、より多くの遺体を効率的に洗浄することができる。
【００３４】
なお、本実施例ではナノバブル水の原水として水道水を使用したが、殺菌・消毒効果を高める点から、オゾン水を原水として使用することもできる。また、本発明の洗浄槽の機構は、例えば要介護者の入浴用にも適用可能である。
【符号の説明】
【００３５】
１０  洗浄槽本体
１１  第１洗浄槽
１２  第２洗浄槽
１３  排水溝
２０  ナノバブル水精製機（ナノバブル水製造手段）
２１  吸水口
２２  本体容器
２３  吐出口
３０  水路
４０  濾過手段
５０  循環ポンプ（循環手段）
５１  吸水口
５２  吐出口
６０  載置板
７０  機器収納部
７１  操作パネル
８０  開閉蓋
８１  通風口
９０  温風供給管（温風供給手段）
９１  吹出口
９２  温風発生手段
１００  位置決め具
【図１】
2014233594.tif 000003
【図２】
2014233594.tif 000004
【図３】
2014233594.tif 000005
【図４】
2014233594.tif 000006